【手続補正書】
【提出日】平成19年5月16日(2007.5.16)
【手続補正１】
【補正対象書類名】特許請求の範囲
【補正対象項目名】全文
【補正方法】変更
【補正の内容】
【特許請求の範囲】
【請求項１】
通信装置と、複数のアクセスポイントとを有する通信システムであって、
前記通信装置は、
前記複数のアクセスポイントのうち、特定のアクセスポイントを識別するための識別情報を入力する入力手段と、
前記複数のアクセスポイントのうちのいずれかのアクセスポイントと接続し、前記入力手段によって入力された識別情報を該アクセスポイントに送信する送信手段と、
前記接続したアクセスポイントから送られた、前記送信手段により送信した識別情報に対する応答に基づいて、前記特定のアクセスポイントと接続するための設定を行う設定手段と、
を有することを特徴とする通信システム。
【請求項２】
通信装置であって、
複数のアクセスポイントのうち、特定のアクセスポイントを識別するための識別情報を入力する入力手段と、
前記複数のアクセスポイントのいずれかのアクセスポイントと接続し、前記入力手段によって入力された識別情報を該アクセスポイントに送信する送信手段と、
前記接続したアクセスポイントから送られた、前記送信手段により送信した識別情報に対する応答に基づいて、前記特定のアクセスポイントと接続するための設定を行う設定手段と、
を有することを特徴とする通信装置。
【請求項３】
前記設定手段は、前記接続したアクセスポイントからの前記応答として、前記特定のアクセスポイントに接続するための情報が通知されると、該通知された情報に基づいて、前記特定のアクセスポイントを接続するための設定を行うことを特徴とする請求項２に記載の通信装置。
【請求項４】
前記特定のアクセスポイントに接続するための情報は、前記特定のアクセスポイントが無線通信のために使用する周波数を示す情報であり、
前記設定手段は、前記情報が示す周波数に切り替えることを特徴とする請求項３に記載の通信装置。
【請求項５】
前記接続したアクセスポイントからの前記応答に基づいて、前記送信手段により送信した識別情報と、前記接続したアクセスポイントの識別情報との一致を判別する判別手段と、
前記接続したアクセスポイントとの接続が許可されたことを判別する判別手段と、
を有することを特徴とする請求項２に記載の通信装置。
【請求項６】
前記接続したアクセスポイントからの前記応答が無い場合に、他のアクセスポイントと接続する接続手段を更に有することを特徴とする請求項２に記載の通信装置。
【請求項７】
通信装置と接続するアクセスポイントであって、
他のアクセスポイントを識別するための識別情報を記憶する記憶手段と、
前記通信装置から送信された特定のアクセスポイントを識別するための識別情報を受信する受信手段と、
前記記憶手段に記憶されている前記識別情報と、前記受信手段により受信した前記識別情報とに応じて、前記通信装置が前記特定のアクセスポイントと接続するための情報を前記通信装置に通知する通知手段と、
を有することを特徴とするアクセスポイント。
【請求項８】
前記他のアクセスポイントを識別するための識別情報を、ネットワークを介して取得する取得手段を更に有することを特徴とする請求項７に記載のアクセスポイント。
【請求項９】
前記記憶手段には、前記アクセスポイントを識別するための識別情報も記憶され、
前記通知手段は、前記特定のアクセスポイントを識別するための識別情報が、前記アクセスポイントを識別するための識別情報に一致する場合は、前記特定のアクセスポイントを識別するための識別情報が前記アクセスポイントを識別するための識別情報と一致することを示す情報を通知することを特徴とする請求項７に記載のアクセスポイント。
【請求項１０】
前記アクセスポイントを識別するための識別情報を生成する生成手段と、
前記生成手段により生成した識別情報を他のアクセスポイントに送信する送信手段と、
を更に有することを特徴とする請求項７に記載のアクセスポイント。
【請求項１１】
前記通知手段は、前記特定のアクセスポイントに接続するための情報として、前記特定のアクセスポイントと接続するための周波数を示す情報を通知することを特徴とする請求項７に記載のアクセスポイント。
【請求項１２】
通信装置による通信方法であって、
ユーザにより入力された特定のアクセスポイントを識別するための識別情報を、接続しているアクセスポイントに送信する送信工程と、
前記送信工程において送信した識別情報に対する前記アクセスポイントからの応答に基づいて、前記特定のアクセスポイントと接続するための設定を行う設定工程と、
を有することを特徴とする通信方法。
【請求項１３】
通信装置と接続するアクセスポイントによる通信方法であって、
予め記憶している他のアクセスポイントを識別するための識別情報と、前記通信装置から送信された特定のアクセスポイントを識別するための識別情報と、を比較する比較工程と、
前記比較工程における比較に応じて、前記通信装置が前記特定のアクセスポイントと接続するための情報を前記通信装置に通知する通知工程と、
を特徴とする通信方法。
【請求項１４】
通信装置により実行されるプログラムであって、
ユーザにより入力された特定のアクセスポイントを識別するための識別情報を、接続しているアクセスポイントに送信する送信工程と、
前記送信工程において送信した識別情報に対する前記アクセスポイントからの応答に基づいて、前記特定のアクセスポイントと接続するための設定を行う設定工程と、
を有することを特徴とするプログラム。
【請求項１５】
通信装置と接続するアクセスポイントにより実行されるプログラムであって、
予め記憶している他のアクセスポイントを識別するための識別情報と、前記通信装置から送信された特定のアクセスポイントを識別するための識別情報と、を比較する比較工程と、
前記比較工程における比較に応じて、前記通信装置が前記特定のアクセスポイントと接続するための情報を前記通信装置に通知する通知工程と、
を有することを特徴とするプログラム。
【請求項１６】
請求項１４または請求項１５記載のプログラムをコンピュータにより読み取り可能に格納したことを特徴とする記憶媒体。
【手続補正２】
【補正対象書類名】明細書
【補正対象項目名】発明の名称
【補正方法】変更
【補正の内容】
【発明の名称】通信システム、通信装置、アクセスポイント、通信方法、プログラムおよび記憶媒体
【手続補正３】
【補正対象書類名】明細書
【補正対象項目名】０００１
【補正方法】変更
【補正の内容】
【０００１】
本発明は、通信装置が特定のアクセスポイントと接続するための通信システム、通信装置、アクセスポイント、通信方法、プログラムおよび記憶媒体に関する。
【手続補正４】
【補正対象書類名】明細書
【補正対象項目名】０００４
【補正方法】変更
【補正の内容】
【０００４】
本発明の目的は、通信装置が、複数のアクセスポイントのうち、特定の１つに対して接続することを可能にすることである。
【手続補正５】
【補正対象書類名】明細書
【補正対象項目名】０００５
【補正方法】変更
【補正の内容】
【０００５】
本発明は、上記目的を達成するため、通信装置と、複数のアクセスポイントとを有する通信システムであって、前記通信装置は、前記複数のアクセスポイントのうち、特定のアクセスポイントを識別するための識別情報を入力する入力手段と、前記複数のアクセスポイントのうちのいずれかのアクセスポイントと接続し、前記入力手段によって入力された識別情報を該アクセスポイントに送信する送信手段と、前記接続したアクセスポイントから送られた、前記送信手段により送信した識別情報に対する応答に基づいて、前記特定のアクセスポイントと接続するための設定を行う設定手段と、を有することを特徴とする通信システムを提供する。
【手続補正６】
【補正対象書類名】明細書
【補正対象項目名】０００６
【補正方法】変更
【補正の内容】
【０００６】
また、通信装置であって、複数のアクセスポイントのうち、特定のアクセスポイントを識別するための識別情報を入力する入力手段と、前記複数のアクセスポイントのいずれかのアクセスポイントと接続し、前記入力手段によって入力された識別情報を該アクセスポイントに送信する送信手段と、前記接続したアクセスポイントから送られた、前記送信手段により送信した識別情報に対する応答に基づいて、前記特定のアクセスポイントと接続するための設定を行う設定手段と、を有することを特徴とする通信装置を提供する。
【手続補正７】
【補正対象書類名】明細書
【補正対象項目名】０００７
【補正方法】変更
【補正の内容】
【０００７】
また、通信装置と接続するアクセスポイントであって、他のアクセスポイントを識別するための識別情報を記憶する記憶手段と、前記通信装置から送信された特定のアクセスポイントを識別するための識別情報を受信する受信手段と、前記記憶手段に記憶されている前記識別情報と、前記受信手段により受信した前記識別情報とに応じて、前記通信装置が前記特定のアクセスポイントと接続するための情報を前記通信装置に通知する通知手段と、を有することを特徴とするアクセスポイントを提供する。
【手続補正８】
【補正対象書類名】明細書
【補正対象項目名】０００８
【補正方法】変更
【補正の内容】
【０００８】
また、通信装置による通信方法であって、ユーザにより入力された特定のアクセスポイントを識別するための識別情報を、接続しているアクセスポイントに送信する送信工程と、前記送信工程において送信した識別情報に対する前記アクセスポイントからの応答に基づいて、前記特定のアクセスポイントと接続するための設定を行う設定工程と、を有することを特徴とする通信方法を提供する。
【手続補正９】
【補正対象書類名】明細書
【補正対象項目名】０００９
【補正方法】変更
【補正の内容】
【０００９】
また、通信装置と接続するアクセスポイントによる通信方法であって、予め記憶している他のアクセスポイントを識別するための識別情報と、前記通信装置から送信された特定のアクセスポイントを識別するための識別情報と、を比較する比較工程と、前記比較工程における比較に応じて、前記通信装置が前記特定のアクセスポイントと接続するための情報を前記通信装置に通知する通知工程と、を特徴とする通信方法を提供する。
【手続補正１０】
【補正対象書類名】明細書
【補正対象項目名】００１０
【補正方法】変更
【補正の内容】
【００１０】
また、通信装置により実行されるプログラムであって、ユーザにより入力された特定のアクセスポイントを識別するための識別情報を、接続しているアクセスポイントに送信する送信工程と、前記送信工程において送信した識別情報に対する前記アクセスポイントからの応答に基づいて、前記特定のアクセスポイントと接続するための設定を行う設定工程と、を有することを特徴とするプログラム及び該プログラムをコンピュータにより読み取り可能に格納したことを特徴とする記憶媒体を提供する。
【手続補正１１】
【補正対象書類名】明細書
【補正対象項目名】００１１
【補正方法】変更
【補正の内容】
【００１１】
また、通信装置と接続するアクセスポイントにより実行されるプログラムであって、予め記憶している他のアクセスポイントを識別するための識別情報と、前記通信装置から送信された特定のアクセスポイントを識別するための識別情報と、を比較する比較工程と、前記比較工程における比較に応じて、前記通信装置が前記特定のアクセスポイントと接続するための情報を前記通信装置に通知する通知工程と、を有することを特徴とするプログラム及び該プログラムをコンピュータにより読み取り可能に格納したことを特徴とする記憶媒体を提供する。
【手続補正１２】
【補正対象書類名】明細書
【補正対象項目名】００１２
【補正方法】変更
【補正の内容】
【００１２】
本発明によれば、通信装置が、複数のアクセスポイントのうち、特定の１つに対して一意に接続することを可能にする。